(57)【要約】【課題】ウォッシャ液が凍結で噴出されない場合の乾拭き動作やガラスの氷結面上の払拭動作を防止する。【解決手段】制御回路３０内に、ガラスヒータスイッチ８のオン／オフ信号に基づいてワイパ作動の許可／禁止を判断する作動禁止判断部３２を備えた構成とする。作動禁止判断部３２は、ガラスヒータスイッチ８がオンになっていればガラス面が降霜によって氷結しているので除霜のためにガラス熱線に通電されているものとみなし、ワイパ作動を禁止する。【選択図】図１
2004001770.tif 000002
【特許請求の範囲】
【請求項１】
　ウィンドウガラスに設けられている除霜又は融雪のためのガラス温め手段に対する通電操作スイッチと、
　前記ウィンドウガラス面を払拭するワイパと、
　ウォッシャ液噴出操作に連動して前記ワイパを所定時間の間作動させるウォッシャ操作部と、
　前記通電操作スイッチによる前記ガラス温め手段に対する通電時に、前記ワイパの作動を禁止するワイパ作動禁止部とを備えて成るワイパ装置。
【発明の詳細な説明】
【技術分野】
【０００１】
　本発明は、ワイパ装置に関する。
【背景技術】
【０００２】
　従来、ワイパ装置は図３に示す構成のものが知られている。この従来のワイパ装置では、ワイパスイッチ１がオート・雨滴感知ポジションに投入されている場合、雨滴センサ２が雨滴を感知すると、制御回路３が間欠・オート作動用リレー４を作動してワイパモータ５を駆動し、降雨量に応じた周期でワイパ（図示せず）を作動させる。またワイパスイッチ１をウォッシャポジションにすればウォッシャモータ６が作動してウォッシャ液がウィンドウガラスに噴出する。
【０００３】
　このような従来のワイパ装置において、ウォッシャ液を噴出させた場合に、ウィンドウガラス上に残るウォッシャ液を払拭するために、ウォッシャ液噴出操作より一定時間、雨滴センサ２がウォッシャ液を検出していればワイパを作動させていた。
【発明の開示】
【発明が解決しようとする課題】
【０００４】
　ところが、このような従来のワイパ装置では、雨滴センサは氷結を雨滴として誤検出する場合があり、そのような場合、ウィンドウガラスに降霜があり、ウォッシャ液噴出操作をしてもウォッシャ液が凍結していて実際にはウォッシャ液が噴出されないときや、噴出したウォッシャ液がガラス面に氷結してしまったときにもワイパによる払拭動作を実行させてしまい、乾拭きに近い作動あるいはガラスの氷結面上の作動によりワイパブレード
を損傷する問題点があった。
【０００５】
　本発明はこのような従来の問題点に鑑みてなされたもので、ウォッシャ液が凍結で噴出されない場合の乾拭き動作やガラスの氷結面上の払拭動作を防止することができるワイパ装置を提供することを目的とする。
【課題を解決するための手段】
【０００６】
　本発明のワイパ装置は、ウィンドウガラスに設けられている除霜又は融雪のためのガラス温め手段に対する通電操作スイッチと、前記ウィンドウガラス面を払拭するワイパと、ウォッシャ液噴出操作に連動して前記ワイパを所定時間の間作動させるウォッシャ操作部と、前記通電操作スイッチによる前記ガラス温め手段に対する通電時に、前記ウォッシャ操作部による前記ワイパの作動を禁止するワイパ作動禁止部とを備えたものである。
【０００７】
　本発明のワイパ装置では、通電操作スイッチのよる通電操作によってガラス温め手段に通電されている間はガラス面が降霜で結氷しているのが通常であり、またウォッシャ液も凍結していると考えられ、このような場合には、ウォッシャ操作部によってウォッシャ液噴出操作をしてもウォッシャ液で噴出されないことが多くてワイパを作動させると乾拭きに近い状態になり、またウォッシャ液が噴出されてもガラス面の氷結によってワイパブレードを損傷する恐れがあるので、このような状態ではウォッシャ液噴出と連動するワイパの作動を禁止して、乾拭きの発生を避け、またワイパブレードの損傷を防止する。
【発明の効果】
【０００８】
　本発明によれば、ガラス面が降霜で結氷している場合やウォッシャ液も凍結している場合には、ウォッシャ液噴出と連動するワイパの作動を禁止したので、乾拭きの発生を避け、またワイパブレードの損傷を防止することができる。
【発明を実施するための最良の形態】
【０００９】
　以下、本発明の実施の形態を図に基づいて詳説する。図１は、本発明を適用したワイパ装置の回路構成である。
【００１０】
　自動車ではリアウィンドウガラスの曇り止め、融霜のためにガラスに熱線を通していて（近年、フロントガラスに対しても考えられている）、降霜によって結氷したガラスの除霜のために熱線に通電する。このようなガラスヒータが採用されている車両では、その作動中はガラスに霜が氷結しているのが通常であるから、ウォッシャ液が凍結していることが予想され、ウォッシャ液噴出操作をしてもウォッシャ液が噴出しない場合が多く、ウォッシャ液噴出操作に連動してワイパを作動させると乾拭きに近い状態になる可能性が高く、またワイパを作動させると氷結した固い霜でワイパブレードか損傷する恐れがある。そのため、ガラス熱線に通電している間、あるいは少なくとも通電開始から霜がある程度溶けだした考えられる時間が経過するまではワイパ作動を禁止するのが好ましい。
【００１１】
　本発明のワイパ装置はかかる考察に基づいて発明されたものであり、図１に示すように従来例と同様の回路要素と共に、制御回路３０内にガラスヒータスイッチ８のオン／オフ信号に基づいてワイパ作動の許可／禁止を判断する作動禁止判断部３２を備えたことを特徴とする。
【００１２】
　次に、このワイパ装置の動作を説明する。このワイパ装置では、ワイパスイッチ１による低速又は高速ワイパ作動操作により、ワイパが低速又は高速でガラス面を払拭する。また、オート・雨滴感知ポジションにワイパスイッチ１をセットすれば、雨滴センサ２の検出する信号から降雨量の大小を判断し、間欠動作間隔を降雨量に応じて可変調節し、その間欠時間間隔でワイパを間欠動作させる。
【００１３】
　そしてワイパスイッチ１をウォッシャポジションにセットすれば、ウォッシャモータ６が作動してウォッシャ液をウィンドウガラス面に噴出する。そしてワイパスイッチ１の操作によるウォッシャ液噴出操作があれば、制御回路３０において図２に示すフローチャートの処理を開始し、ガラスヒータスイッチ８のオン／オフ状態をまず判断し、ガラスヒータスイッチ８がオンになっていればガラス面が降霜によって氷結しているので除霜のためにガラス熱線に通電されているものとみなし、ワイパ作動を禁止する（ステップＳ１１）。
【００１４】
　しかしながら、ガラスヒータスイッチ８がオフであれば、従来と同様に数秒間ｔ１だけ雨滴の検出を実施し、ウィンドウガラス上に雨滴があると判断すればワイパを作動させる（ステップＳ１１〜Ｓ１５）。
【００１５】
　こうして、本発明を適用したワイパ装置では、降霜によって結氷したガラスの除霜のためにガラス熱線に通電している間はワイパ作動を禁止することにより、乾拭きの発生を防止し、またワイパブレードの損傷を防止することができる。
【００１６】
　なお、上記のワイパ装置ではガラスヒータスイッチ８がオンしている間はウォッシャ液の噴出後、これに連動したワイパ動作を禁止するようにしたが、ガラスヒータスイッチ８がオンした後、一定時間、例えば数１０秒間だけワイパ動作を禁止し、除霜が始まり、ワイパブレードが損傷を受けなくなるまでの時間が経過すればウォッシャ液噴出操作に連動するワイパ動作を開始させる構成にすることができる。
【００１７】
　また、上記のワイパ装置ではガラスヒータスイッチ８のオン／オフを監視し、ガラスヒータスイッチがオンであればウォッシャ液噴出操作に連動したワイパ動作を禁止する構成にしたが、ガラスヒータスイッチオンであれば必ずガラス熱線に通電される構成ではなく、車種によってはガラスヒータスイッチがオンとなり、かつ水温が所定値以上になって初めてガラスヒータに通電する構成のものも見られるので、その場合には、実際のガラスヒータへの通電電流の有無を検知してワイパ動作の禁止、許可を判断する構成とするのが好ましい。
【００１８】
　また上記のワイパ装置及びその変形例は、フロントガラスに対するワイパデアイサと呼ばれている、ワイパの払拭動作でワイパの動作範囲の両端部分にかき集められて固まった雪を溶融させるために該当する部分にヒータを設置した構成のガラスヒータに対しても同様に適用することができる。さらに、デフロスタを用いる場合も同様である。
【図面の簡単な説明】
【００１９】
【図１】本発明のワイパ装置の回路ブロック図。
【図２】上記のワイパ装置の動作を示すフローチャート。
【図３】従来例の回路ブロック図。
【符号の説明】
【００２０】
　１　ワイパスイッチ
　２　雨滴センサ
　３０　制御回路
　３２　作動禁止判断部
　４　間欠・オート作動用リレー
　５　ワイパモータ
　６　ウォッシャモータ
　８　ガラスヒータスイッチ
【図１】
2004001770.tif 000003
【図２】
2004001770.tif 000004
【図３】
2004001770.tif 000005